(57)【特許請求の範囲】
【請求項１】
人間またはその他の動物が出入り可能な第１の空間と、該第１の空間に隣り合い、人間またはその他の動物が出入り可能な第２の空間とを仕切る第１の仕切部材と、
前記第２の空間と、該第２の空間に隣り合い、人間またはその他の動物が出入り可能な第３の空間とを仕切る第２の仕切部材と、
前記第１の仕切部材と前記第２の仕切部材との一方を他方に対して回動可能に支持する支持部材とを備え、
前記第１の仕切部材は、板状またはシート状をなす直線偏光子である第１の偏光子を有し、
前記第２の仕切部材は、板状またはシート状をなす直線偏光子である第２の偏光子を有し、
前記支持部材は、第１の支持部材と、第２の支持部材とを有し、
前記第１の支持部材は、水平方向に片持支持された梁と、前記梁の自由端側に設けられ、前記第１の仕切部材を回動可能に支持する回動支持部とを有し、
前記第２の支持部材は、水平方向に片持支持された梁と、前記梁の自由端側に設けられ、前記第２の仕切部材を回動可能に支持する回動支持部とを有し、
前記第１の仕切部材と前記第２の仕切部材との一方を他方に対して回動させることにより、前記第１の偏光子の偏光方向と前記第２の偏光子の偏光方向とが異なっている第１の状態と、前記第１の偏光子の偏光方向と前記第２の偏光子の偏光方向とが一致している第２の状態とをとり得ることを特徴とする仕切部材セット。
【請求項２】
前記第１の状態として、前記第１の偏光子の偏光方向と、前記第２の偏光子の偏光方向とが、３０度以上、９０度以下の範囲内でズレている状態を選択し得る請求項１に記載の仕切部材セット。
【請求項３】
前記第１の仕切部材と前記第２の仕切部材とは、前記第１の偏光子の法線と前記第２の偏光子の法線とが平行となるように配置して用いられる請求項１または２に記載の仕切部材セット。
【請求項４】
前記第１の仕切部材と前記第２の仕切部材とは、前記第１の偏光子の法線と前記第２の偏光子の法線とが交差するように配置して用いられる請求項１または２に記載の仕切部材セット。
【請求項５】
前記第１の仕切部材は、前記第１の偏光子をその両面側から覆う透明な基板を有し、
前記第２の仕切部材は、前記第２の偏光子をその両面側から覆う透明な基板を有する請求項１ないし４のいずれか１項に記載の仕切部材セット。
【請求項６】
前記第１の空間および前記第３の空間は、それぞれ、公共交通機関の客席が設置される空間であり、前記第２の空間は、前記客席同士の間の通路であり、
前記第１の仕切部材と前記第２の仕切部材とは、前記第１の偏光子と前記第２の偏光子とが前記通路を介して互いに対向配置して用いられる請求項１ないし５のいずれか１項に記載の仕切部材セット。
【請求項７】
前記公共交通機関は、旅客機である請求項６に記載の仕切部材セット。
【発明の詳細な説明】
【技術分野】
【０００１】
本発明は、空間を仕切る仕切部材セットに関する。
【背景技術】
【０００２】
１枚の偏光板を偏光方向が異なる複数の領域に区画し、当該偏光板を２枚対向して配置したブラインド装置が知られている（例えば、特許文献１参照）。この特許文献１に記載のブラインド装置では、２枚の偏光板同士の相対的な位置関係を調整する操作を行なうことにより、ブランド装置の表側から裏側を視認可能な視認可能状態と、その視認が抑制される視認抑制状態とを取り得る。
【０００３】
しかしながら、特許文献１に記載のブラインド装置では、視認可能状態と視認抑制状態とを切り換えるには、当該ブラインド装置に対する操作が必要であり、使用者によっては、その操作が煩わしいと思われる場合があった。
【先行技術文献】
【特許文献】
【０００４】
【特許文献１】特開２０００−１６０９６３号公報
【発明の概要】
【発明が解決しようとする課題】
【０００５】
本発明の目的は、見たいまたは見られてもよい空間と、見せたくないまたは見られたくない空間とを簡単な構成で仕切ることができる仕切部材セットを提供することにある。
【課題を解決するための手段】
【０００６】
このような目的は、下記（１）〜（７）の本発明により達成される。
（１）  人間またはその他の動物が出入り可能な第１の空間と、該第１の空間に隣り合い、人間またはその他の動物が出入り可能な第２の空間とを仕切る第１の仕切部材と、
前記第２の空間と、該第２の空間に隣り合い、人間またはその他の動物が出入り可能な第３の空間とを仕切る第２の仕切部材と、
前記第１の仕切部材と前記第２の仕切部材との一方を他方に対して回動可能に支持する支持部材とを備え、
前記第１の仕切部材は、板状またはシート状をなす直線偏光子である第１の偏光子を有し、
前記第２の仕切部材は、板状またはシート状をなす直線偏光子である第２の偏光子を有し、
前記支持部材は、第１の支持部材と、第２の支持部材とを有し、
前記第１の支持部材は、水平方向に片持支持された梁と、前記梁の自由端側に設けられ、前記第１の仕切部材を回動可能に支持する回動支持部とを有し、
前記第２の支持部材は、水平方向に片持支持された梁と、前記梁の自由端側に設けられ、前記第２の仕切部材を回動可能に支持する回動支持部とを有し、
前記第１の仕切部材と前記第２の仕切部材との一方を他方に対して回動させることにより、前記第１の偏光子の偏光方向と前記第２の偏光子の偏光方向とが異なっている第１の状態と、前記第１の偏光子の偏光方向と前記第２の偏光子の偏光方向とが一致している第２の状態とをとり得ることを特徴とする仕切部材セット。
【０００７】
（２）  前記第１の状態として、前記第１の偏光子の偏光方向と、前記第２の偏光子の偏光方向とが、３０度以上、９０度以下の範囲内でズレている状態を選択し得る上記（１）に記載の仕切部材セット。
【０００８】
（３）  前記第１の仕切部材と前記第２の仕切部材とは、前記第１の偏光子の法線と前記第２の偏光子の法線とが平行となるように配置して用いられる上記（１）または（２）に記載の仕切部材セット。
【０００９】
（４）  前記第１の仕切部材と前記第２の仕切部材とは、前記第１の偏光子の法線と前記第２の偏光子の法線とが交差するように配置して用いられる上記（１）または（２）に記載の仕切部材セット。
【００１０】
（５）  前記第１の仕切部材は、前記第１の偏光子をその両面側から覆う透明な基板を有し、
前記第２の仕切部材は、前記第２の偏光子をその両面側から覆う透明な基板を有する上記（１）ないし（４）のいずれかに記載の仕切部材セット。
【００１３】
（６）  前記第１の空間および前記第３の空間は、それぞれ、公共交通機関の客席が設置される空間であり、前記第２の空間は、前記客席同士の間の通路であり、
前記第１の仕切部材と前記第２の仕切部材とは、前記第１の偏光子と前記第２の偏光子とが前記通路を介して互いに対向配置して用いられる上記（１）ないし（５）のいずれかに記載の仕切部材セット。
（７）  前記公共交通機関は、旅客機である上記（６）に記載の仕切部材セット。
【発明の効果】
【００１４】
本発明によれば、見たいまたは見られてもよい空間と、見せたくないまたは見られたくない空間とを簡単な構成で仕切ることができる。
【図面の簡単な説明】
【００１５】
【図１】図１は、本発明の仕切部材セットの設置状態の一例（第１実施形態）を示す斜視図である。
【図２】図２は、図１中の矢印Ａ方向から見た図（上面図）である。
【図３】図３は、図１に示す仕切部材セットが備える第１の仕切部材の分解斜視図である。
【図４】図４は、図１に示す仕切部材セットが備える第２の仕切部材の分解斜視図である。
【図５】図５は、本発明の仕切部材セットの設置状態の一例（第２実施形態）を示す斜視図である。
【図６】図６は、本発明の仕切部材セットの設置状態の一例（第２実施形態）を示す斜視図である。
【図７】図７は、本発明の仕切部材セットの設置状態の一例（第３実施形態）を示す斜視図である。
【図８】図８は、本発明の仕切部材セットの設置状態の一例（第３実施形態）を示す斜視図である。
【図９】図９は、本発明の仕切部材セットの設置状態の一例（第４実施形態）を示す平面図である。
【図１０】図１０は、本発明の仕切部材セットの設置状態の一例（第５実施形態）を示す平面図である。
【発明を実施するための形態】
【００１６】
以下、本発明の仕切部材セットを添付図面に示す好適な実施形態に基づいて詳細に説明する。
【００１７】
＜第１実施形態＞
図１は、本発明の仕切部材セットの設置状態の一例（第１実施形態）を示す斜視図である。図２は、図１中の矢印Ａ方向から見た図（上面図）である。図３は、図１に示す仕切部材セットが備える第１の仕切部材の分解斜視図である。図４は、図１に示す仕切部材セットが備える第２の仕切部材の分解斜視図である。なお、以下では、説明の都合上、図１および図３中（図５〜図８についても同様）の上側を「上（上方）」、下側を「下（下方）」と言う。
【００１８】
図１、図２に示すように、仕切部材セット１は、本実施形態では旅客機の客室ＣＡ内（機内）で用いられるものとなっている。
【００１９】
図１に示す客室ＣＡ内は、その中央部に通路ＡＩがあり、当該通路ＡＩを介して左右にそれぞれ客席（座席）ＳＴが２列ずつ配置されている。従って、客室ＣＡは、旅客機の前方に向かって右側から順に、客席ＳＴが設置された第１の客席空間ＡＳ１（第１の空間）と、第１の客席空間ＡＳ１に隣り合う通路ＡＩ（第２の空間）と、通路ＡＩに隣り合い、客席ＳＴが設置された第２の客席空間ＡＳ２（第３の空間）の３つの空間に分けることができる。
【００２０】
第１の客席空間ＡＳ１は、乗客（人間）が通路ＡＩから出入りすることができる空間である。そして、第１の客席空間ＡＳ１内では、乗客は、客席ＳＴに座ることができる。
【００２１】
同様に第２の客席空間ＡＳ２も、乗客が通路ＡＩから出入りすることができる空間である。また、第２の客席空間ＡＳ２内でも、乗客は、客席ＳＴに座ることができる。
【００２２】
通路ＡＩは、第１の客席空間ＡＳ１側の客席ＳＴと、第２の客席空間ＡＳ２側の客席ＳＴとの間で、乗客や客室乗務員が行き来（出入り）することができる空間である。これにより、乗客や客室乗務員は、客室ＣＡ内を移動することができる。
【００２３】
図２（図１も同様）に示すように、仕切部材セット１は、第１の客席空間ＡＳ１と通路ＡＩとを仕切る第１の仕切部材２Ａと、第２の客席空間ＡＳ２と通路ＡＩとを仕切る第２の仕切部材２Ｂとを備えている。
【００２４】
図３に示すように、第１の仕切部材２Ａは、積層板２１と、積層板２１を支持、固定する枠体２２とを有している。
【００２５】
積層板２１は、１枚の第１の偏光子２３Ａと、２枚の透明な基板２４とを有し、これらを接合した接合体である。積層板２１は、平面視で長方形をなし、その縦方向の長さ（全長）は、例えば、３０ｍｍ以上、２０００ｍｍ以下であるのが好ましく、２００ｍｍ以上、１０００ｍｍ以下であるのがより好ましい。また、積層板２１の横方向の長さ（幅）は、例えば、３０ｍｍ以上、２０００ｍｍ以下であるのが好ましく、２００ｍｍ以上、１０００ｍｍ以下であるのがより好ましい。
【００２６】
第１の偏光子２３Ａは、偏光していない自然光から、所定の一方向に偏光面をもつ直線偏光を取出す光学素子である。第１の偏光子２３Ａの偏光度は、特に限定されないが、例えば、５０％以上、１００％以下であるのが好ましく、８０％以上、１００％以下であるのがより好ましい。また、第１の偏光子２３Ａの可視光線透過率は、特に限定されないが、例えば、１０％以上、８０％以下であるのが好ましく、２０％以上、５０％以下であるのがより好ましい。
【００２７】
この第１の偏光子２３Ａは、板状またはシート状（フィルム状）をなし、その厚さは、特に限定されないが、例えば、０．００１ｍｍ以上、１０ｍｍ以下であるのが好ましく、０．３ｍｍ以上、５ｍｍ以下であるのがより好ましい。
【００２８】
第１の偏光子２３Ａの一方の面は、２枚の基板２４のうちの１枚の基板２４で覆われ、他方の面は、もう１枚の基板２４で覆われている。これにより、第１の偏光子２３Ａを保護することができる。また、積層板２１自体を使用に耐え得る程度の強度に確保することができる。
【００２９】
各基板２４は、偏光度ができる限り低い（零に近い）ものであり、有色透明であってもよいし、無色透明であってもよい。
【００３０】
また、各基板２４の可視光線透過率は、特に限定されないが、例えば、２０％以上、１００％以下であるのが好ましく、６０％以上、１００％以下であるのがより好ましい。
【００３１】
また、各基板２４の厚さは、特に限定されないが、例えば、０．０１ｍｍ以上、２０ｍｍ以下であるのが好ましく、０．２５ｍｍ以上、５ｍｍ以下であるのがより好ましい。
【００３２】
各基板２４の構成材料としては、特に限定されず、例えば、各材料のうちポリカーボネート、トリアセチルセルロース、ガラスを用いるのが好ましい。ポリカーボネートは、耐衝撃性に優れ、乗客等が出入りする空間を仕切る部材としては好適である。トリアセチルセルロースは、透過率が高く良好な視界を得ることができ、仕切る部材として好適である。ガラスは、意匠性、質感、難燃性に優れ、輸送機の仕切り部材として好適である。なお、これらの各基板２４には、必要に応じて難燃化処理を行ってもよい。各基板２４には、ハードコートが施されているのが好ましい。これにより、各基板２４の耐擦傷性が向上する。また、各基板２４には、透過率を上げるための光反射防止層、指紋が付きにくい層、表面が曇りにくい層、光沢を出す層、意匠性を持たせるプリント層等が付与されていてもよい。
【００３３】
図３に示すように、枠体２２は、枠状をなし、積層板２１を保持する保持部２２１と、保持部の外周部から突出形成された一対の突片２２２とを有している。
【００３４】
保持部２２１は、その内側に積層板２１を嵌め込むことにより、当該積層板２１を保持することができる。
【００３５】
一対の突片２２２は、保持部２２１の下部に位置し、互いに反対方向に突出している。各突片２２２には、その厚さ方向に貫通する貫通孔２２３が形成されている。そして、この貫通孔２２３にボルト２５を挿通させて、当該ボルト２５を、通路ＡＩに面する客席ＳＴの肘掛けＡＲに設けられているネジ穴（雌ネジ）に螺合させることができる。これにより、積層板２１を保持した枠体２２、すなわち、第１の仕切部材２Ａを肘掛けＡＲに固定することができる（図１参照）。
【００３６】
枠体２２の構成材料としては、特に限定されず、例えば、アルミニウム等のような各種金属材料や、ポリカーボネート等のような各種樹脂材料を用いることができる。
【００３７】
図４に示すように、第２の仕切部材２Ｂは、偏光方向（偏光軸）が第１の偏光子２３Ａと異なる第２の偏光子２３Ｂを有していること以外は、第１の仕切部材２Ａと同じ構成である。
【００３８】
第２の偏光子２３Ｂは、偏光していない自然光から、所定の一方向に偏光面をもつ直線偏光を取出す光学素子である。そして、この第２の偏光子２３Ｂの偏光方向は、第１の偏光子の偏光方向に対して３０度以上、９０度以下ズレているのが好ましく、６０度以上、９０度以下ズレているのがより好ましく、９０度ズレているのがさらに好ましい（以下この角度を「ズレ角」と言う）。
【００３９】
また、第２の偏光子２３Ｂの偏光度や可視光線透過率、その他、厚さ等は、第１の偏光子２３Ａと異なっていてもよいが、同じであるのが好ましい。この場合、第１の偏光子２３Ａおよび第２の偏光子２３Ｂに共通の（同じ）偏光子を用いることができる。そして、この偏光子の枠体２２に対する設置方向、すなわち、姿勢を前記ズレ角の分だけ異ならせることにより、第１の仕切部材２Ａまたは第２の仕切部材２Ｂを構成することができる。このように共通の偏光子を用いることにより、仕切部材セット１を構成する部品の種類を抑えることができ、よって、製造コストの抑制に寄与する。
【００４０】
以上のような構成を有する第１の仕切部材２Ａと第２の仕切部材２Ｂとを図２に示すように配置して用いることができる。すなわち、第１の仕切部材２Ａと第２の仕切部材２Ｂとは、第１の偏光子２３Ａの法線Ｎ２３Ａと第２の偏光子２３Ｂの法線Ｎ２３Ｂとが平行となり、第１の偏光子２３Ａと第２の偏光子２３Ｂとが通路ＡＩを介して互いに対向するように配置される。
【００４１】
また、図２は、第１の客席空間ＡＳ１の通路ＡＩ側の客席ＳＴに座っている乗客Ｈ１と、第２の客席空間ＡＳ２の通路ＡＩ側の客席ＳＴに座っている乗客Ｈ２と、通路ＡＩを往来する客室乗務員Ｈ３とがいる状態となっている。そして、この状態で、乗客Ｈ１が第１の仕切部材２Ａを介して第２の客席空間ＡＳ２側に目を向けると、その視線Ｅ１の方向にある通路ＡＩや第２の仕切部材２Ｂまでは視認することができるが、当該第２の仕切部材２Ｂから先の第２の客席空間ＡＳ２内や乗客Ｈ２までは視認するのが困難または不可能となる。同様に、乗客Ｈ２が第２の仕切部材２Ｂを介して第１の客席空間ＡＳ１側に目を向けると、その視線Ｅ２の方向にある通路ＡＩや第１の仕切部材２Ａまでは視認することができるが、当該第１の仕切部材２Ａから先の第１の客席空間ＡＳ１内や乗客Ｈ１までは視認するのが困難または不可能となる。このように、隣り合って着席した乗客Ｈ１、乗客Ｈ２同士のプライバシーを保護することができる。
【００４２】
なお、ズレ角が大きければ大きいほど、乗客Ｈ１、乗客Ｈ２同士は、互いを視認するのが困難または不可能となる傾向にあり、プライバシーの保護の点からも好ましい。また、ズレ角が前記数値範囲内で比較的小さい場合でも、乗客Ｈ１、乗客Ｈ２同士は、互いの人影ぐらいは確認できるが、すなわち、互いの存在ぐらいは確認することできるが、その人がそこで何をしているのかまでは視認するのは困難である。
【００４３】
一方、客室乗務員Ｈ３は、第１の客席空間ＡＳ１側に目を向けると、その視線Ｅ３−１の先にある第１の仕切部材２Ａを介して第１の客席空間ＡＳ１内や乗客Ｈ１を視認することができる。また、第２の客席空間ＡＳ２側に目を向けると、その視線Ｅ３−２の先にある第２の仕切部材２Ｂを介して第２の客席空間ＡＳ２内や乗客Ｈ２を視認することができる。このように客室乗務員Ｈ３は、通路ＡＩを往来する間に乗客Ｈ１、乗客Ｈ２を見守ることができ、よって、機内サービスの向上に努めることができる。
【００４４】
このように仕切部材セット１では、偏光方向が互いに異なる２枚の偏光子を用いるという簡単な構成で、見られてもよい空間と、見られたくない空間とを仕切ることができる。ここで、見られてもよい空間とは、通路ＡＩからは見られてもよい第１の客席空間ＡＳ１および第２の客席空間ＡＳ２のことである。これに対し、見られたくない空間とは、第２の客席空間ＡＳ２からは見られたくない第１の客席空間ＡＳ１と、第１の客席空間ＡＳ１からは見られたくない第２の客席空間ＡＳ２のことである。
【００４５】
＜第２実施形態＞
図５および図６は、それぞれ、本発明の仕切部材セットの設置状態の一例（第２実施形態）を示す斜視図である。
【００４６】
以下、これらの図を参照して本発明の仕切部材セットの第２実施形態について説明するが、前述した実施形態との相違点を中心に説明し、同様の事項はその説明を省略する。
【００４７】
本実施形態は、仕切部材セットの構成が異なること以外は前記第１実施形態と同様である。
【００４８】
図５、図６に示すように、本実施形態では、仕切部材セット１は、第１の仕切部材２Ａを上下方向に移動可能（変位可能）に支持する第１の支持部材３Ａと、第２の仕切部材２Ｂを上下方向に移動可能（変位可能）に支持する第２の支持部材３Ｂとを備えている。第１の支持部材３Ａと第２の支持部材３Ｂとは、支持する仕切部材が異なること以外は、同じ構成であるため、第１の支持部材３Ａについて代表的に説明する。
【００４９】
第１の支持部材３Ａは、客席ＳＴの通路ＡＩ側の側面に固定され、第１の仕切部材２Ａを案内する２本のレール３１を有している。これらのレール３１は、上下方向に延在しており、水平方向に離間して互いに平行に配置されている。また、第１の支持部材３Ａは、第１の仕切部材２Ａを段階的または無段階に移動させることができ、その移動先での位置を維持することができるよう構成されているのが好ましい。
【００５０】
例えば、第１の客席空間ＡＳ１の乗客と、第２の客席空間ＡＳ２の乗客とが家族や友人等の知人同士の場合、図５に示す状態から、第１の仕切部材２Ａを第２の仕切部材２Ｂよりも下方に移動操作して図６に示す状態とすると、互いの顔を合わせたり、会話をしたりすることができる。
【００５１】
このように、本実施形態の仕切部材セット１は、第１の客席空間ＡＳ１内から第２の客席空間ＡＳ２内を見たい場合、または、その反対に第２の客席空間ＡＳ２から第１の客席空間ＡＳ１を見たい場合、第１の仕切部材２Ａおよび第２の仕切部材２Ｂのうちの少なくとも一方の仕切部材を他方の仕切部材に対して移動させることにより、それが可能となる。
【００５２】
また、図６に示す状態では、第１の客席空間ＡＳ１の乗客は、第１の仕切部材２Ａが当該第１の客席空間ＡＳ１に対する出入りの妨げとなるのが防止され、その出入りがし易くなる。
【００５３】
なお、仕切部材セット１は、本実施形態では第１の支持部材３Ａと第２の支持部材３Ｂとを備えた構成となっているが、これに限定されず、これらの支持部材のうちの一方を省略した構成となっていてもよい。
【００５４】
＜第３実施形態＞
図７および図８は、それぞれ、本発明の仕切部材セットの設置状態の一例（第３実施形態）を示す斜視図である。
【００５５】
以下、これらの図を参照して本発明の仕切部材セットの第３実施形態について説明するが、前述した実施形態との相違点を中心に説明し、同様の事項はその説明を省略する。
本実施形態は、支持部材の構成が異なること以外は前記第２実施形態と同様である。
【００５６】
図７、図８示すように、本実施形態では、仕切部材セット１は、第１の仕切部材２Ａを第２の仕切部材２Ｂに対して回動可能（変位可能）に支持する第１の支持部材４Ａと、第２の仕切部材２Ｂを第１の仕切部材２Ａに対して回動可能（変位可能）に支持する第２の支持部材４Ｂとを備えている。第１の支持部材４Ａと第２の支持部材４Ｂとは、支持する仕切部材が異なること以外は、同じ構成であるため、第１の支持部材４Ａについて代表的に説明する。
【００５７】
第１の支持部材４Ａは、客席ＳＴの通路ＡＩ側の側面に水平方向に片持支持された梁４１を有している。この梁４１の自由端側は、第１の仕切部材２Ａを回動可能に支持する回動支持部４２が設けられている。また、回動支持部４２は、第１の仕切部材２Ａを段階的または無段階に回動させることができ、その回動先での姿勢を維持することができるよう構成されているのが好ましい。
【００５８】
例えばズレ角が９０度の場合、図７に示す状態から、第１の仕切部材２Ａを第２の仕切部材２Ｂに対して９０度回動操作して図８に示す状態とすると、第１の偏光子２３Ａの偏光方向と、第２の偏光子２３Ｂの偏光方向とが揃った、すなわち、一致した状態となる。これにより、知人同士である第１の客席空間ＡＳ１の乗客と、第２の客席空間ＡＳ２の乗客とは、互いの顔を見ることができる。
【００５９】
なお、仕切部材セット１は、本実施形態では第１の支持部材４Ａと第２の支持部材４Ｂとを備えた構成となっているが、これに限定されず、これらの支持部材のうちの一方を省略した構成となっていてもよい。
【００６０】
＜第４実施形態＞
図９は、本発明の仕切部材セットの設置状態の一例（第４実施形態）を示す平面図である。
【００６１】
以下、この図を参照して本発明の仕切部材セットの第４実施形態について説明するが、前述した実施形態との相違点を中心に説明し、同様の事項はその説明を省略する。
本実施形態は、使用態様が異なること以外は前記第１実施形態と同様である。
【００６２】
図９に示すように、本実施形態では、２つの仕切部材セット１が用いられている。各仕切部材セット１では、第１の仕切部材２Ａと第２の仕切部材２Ｂとは、第１の偏光子２３Ａの法線Ｎ２３Ａと第２の偏光子２３Ｂの法線Ｎ２３Ｂとが直交する（交差する）ように配置されている。また、各仕切部材セット１は、第１の仕切部材２Ａと第２の仕切部材２Ｂとの位置関係を維持したままこれらを連結する棒状の連結部材５を備えている。
【００６３】
そして、テーブルＴＢ上に、各仕切部材セット１を連結部材５の側面同士を突き当てるように、すなわち、連結部材５に関して点対称的に載置する。これにより、テーブルＴＢ上は、「田」の字状に４つ空間に仕切られる。本実施形態では、図９中の左上側の空間から時計回りに順に「空間Ｓ１」、「空間Ｓ２」、「空間Ｓ３」、「空間Ｓ４」と言い、同図中の左上側の仕切部材セット１の第１の仕切部材２Ａを「第１の仕切部材２Ａ１」、第２の仕切部材２Ｂを「第２の仕切部材２Ｂ１」、右下側の仕切部材セット１の第１の仕切部材２Ａを「第１の仕切部材２Ａ２」、第２の仕切部材２Ｂを「第２の仕切部材２Ｂ２」と言う。
【００６４】
また、図９に示す状態では、空間Ｓ１を生徒Ｈ４が英語のテストの受験に使用し、空間Ｓ２を生徒Ｈ５が数学のテストの受験に使用し、空間Ｓ３を生徒Ｈ６が生徒Ｈ４と同じ英語のテストの受験に使用し、空間Ｓ４を生徒Ｈ７が生徒Ｈ５と同じ数学のテストの受験に使用している。
【００６５】
そして、この状態で、生徒Ｈ４が、第１の仕切部材２Ａ１を介して（第１の仕切部材２Ａ１から）、同じ英語のテストを行なっている生徒Ｈ６側、すなわち、空間Ｓ３側に目を向けると、その視線Ｅ４−１の方向にある第２の仕切部材２Ｂ２までは視認することができるが、当該第２の仕切部材２Ｂ２から先の空間Ｓ３内や生徒Ｈ６までは視認するのが困難または不可能となる。これにより、生徒Ｈ４は、生徒Ｈ６の英語の答案を見ることができない。また、生徒Ｈ４が、空間Ｓ４側に目を向けると、その視線Ｅ４−２の先にある第１の仕切部材２Ａ１を介して空間Ｓ４内や生徒Ｈ７を視認することができる。そのとき、たとえ生徒Ｈ７の答案が見えてしまっても、その答案は、生徒Ｈ４が受けている英語と異なる教科、すなわち、数学の答案であるので問題はない。同様に、生徒Ｈ４が、空間Ｓ２側に目を向けると、その視線Ｅ４−３の先にある第２の仕切部材２Ｂ１を介して空間Ｓ２内や生徒Ｈ５を視認することができる。そのとき、たとえ生徒Ｈ５の答案が見えてしまっても、その答案は、数学の答案であるので問題はない。
【００６６】
生徒Ｈ５が、第１の仕切部材２Ａ２を介して（第１の仕切部材２Ａ２から）、同じ数学のテストを行なっている生徒Ｈ７側、すなわち、空間Ｓ４側に目を向けると、その視線Ｅ５−１の方向にある第２の仕切部材２Ｂ２までは視認することができるが、当該第２の仕切部材２Ｂ２から先の空間Ｓ４内や生徒Ｈ７までは視認するのが困難または不可能となる。これにより、生徒Ｈ５は、生徒Ｈ７の数学の答案を見ることができない。また、生徒Ｈ５が、空間Ｓ３側に目を向けると、その視線Ｅ５−２の先にある第１の仕切部材２Ａ２を介して空間Ｓ３内や生徒Ｈ６を視認することができる。そのとき、たとえ生徒Ｈ６の答案が見えてしまっても、その答案は、生徒Ｈ５が受けている数学と異なる教科、すなわち、英語の答案であるので問題はない。同様に、生徒Ｈ５が、空間Ｓ１側に目を向けると、その視線Ｅ５−３の先にある第２の仕切部材２Ｂ１を介して空間Ｓ１内や生徒Ｈ４を視認することができる。そのとき、たとえ生徒Ｈ４の答案が見えてしまっても、その答案は、英語の答案であるので問題はない。
【００６７】
生徒Ｈ６が、第１の仕切部材２Ａ２を介して（第１の仕切部材２Ａ２から）、同じ英語のテストを行なっている生徒Ｈ４側、すなわち、空間Ｓ１側に目を向けると、その視線Ｅ６−１の方向にある第２の仕切部材２Ｂ１までは視認することができるが、当該第２の仕切部材２Ｂ１から先の空間Ｓ１内や生徒Ｈ４までは視認するのが困難または不可能となる。これにより、生徒Ｈ６は、生徒Ｈ４の英語の答案を見ることができない。また、生徒Ｈ６が、空間Ｓ２側に目を向けると、その視線Ｅ６−２の先にある第１の仕切部材２Ａ２を介して空間Ｓ２内や生徒Ｈ５を視認することができる。そのとき、たとえ生徒Ｈ５の答案が見えてしまっても、その答案は、生徒Ｈ６が受けている英語と異なる教科、すなわち、数学の答案であるので問題はない。同様に、生徒Ｈ６が、空間Ｓ４側に目を向けると、その視線Ｅ６−３の先にある第２の仕切部材２Ｂ２を介して空間Ｓ４内や生徒Ｈ７を視認することができる。そのとき、たとえ生徒Ｈ７の答案が見えてしまっても、その答案は、数学の答案であるので問題はない。
【００６８】
生徒Ｈ７が、第１の仕切部材２Ａ１を介して（第１の仕切部材２Ａ１から）、同じ数学のテストを行なっている生徒Ｈ５側、すなわち、空間Ｓ２側に目を向けると、その視線Ｅ７−１の方向にある第２の仕切部材２Ｂ１までは視認することができるが、当該第２の仕切部材２Ｂ１から先の空間Ｓ２内や生徒Ｈ５までは視認するのが困難または不可能となる。これにより、生徒Ｈ７は、生徒Ｈ５の数学の答案を見ることができない。また、生徒Ｈ７が、空間Ｓ１側に目を向けると、その視線Ｅ７−２の先にある第１の仕切部材２Ａ１を介して空間Ｓ１内や生徒Ｈ４を視認することができる。そのとき、たとえ生徒Ｈ４の答案が見えてしまっても、その答案は、生徒Ｈ７が受けている数学と異なる教科、すなわち、英語の答案であるので問題はない。同様に、生徒Ｈ７が、空間Ｓ３側に目を向けると、その視線Ｅ７−３の先にある第２の仕切部材２Ｂ２を介して空間Ｓ３内や生徒Ｈ６を視認することができる。そのとき、たとえ生徒Ｈ６の答案が見えてしまっても、その答案は、英語の答案であるので問題はない。
【００６９】
このように本実施形態では、見られてもよい空間と、見られたくない空間とを確実に仕切ることができ、よって、同じ教科の答案を見たり見られたりするのを防止することができる。また、テストを行なうとき、カンニングを防止しつつ、限られた大きさのテーブルＴＢを生徒４人で有効に使用することができる。
【００７０】
なお、仕切部材セット１を用いずに、例えば木製の不透明な板部材でテーブルＴＢ上を４つの空間に仕切る構成も考えられる。しかしながら、この場合、生徒によっては、不透明な板部材から先が見えないため、自分が使える空間が狭く感じる、すなわち、圧迫感を感じることがある。そして、この圧迫感がストレスとなって、生徒は本来の実力を発揮し辛くなることが十分に考えられる。そこで、本実施形態の仕切部材セット１を用いれば、前記ストレスから解放され、実力をいかんなく発揮することができる。
【００７１】
また、第１の偏光子２３Ａの法線Ｎ２３Ａと第２の偏光子２３Ｂの法線Ｎ２３Ｂとは、本実施形態で直交した状態となっているが、これに限定されず、交差した状態であればよい。
【００７２】
＜第５実施形態＞
図１０は、本発明の仕切部材セットの設置状態の一例（第５実施形態）を示す平面図である。
【００７３】
以下、この図を参照して本発明の仕切部材セットの第５実施形態について説明するが、前述した実施形態との相違点を中心に説明し、同様の事項はその説明を省略する。
本実施形態は、使用態様が異なること以外は前記第１実施形態と同様である。
【００７４】
図１０に示すように、本実施形態では、複数（図中では２つ）の仕切部材セット１は、ペットショップの檻Ｂで使用されている。檻Ｂは、図１０中の左側の複数の第１の部屋ＲＭ１（第１の空間）と、右側の複数の第２の部屋ＲＭ２（第３の空間）とに分かれて配置されている。また、第１の部屋ＲＭ１と第２の部屋ＲＭ２との間は、例えば来店客Ｈ８が行き来する通路ＡＩ（第２の空間）となっている。
【００７５】
各第１の部屋ＲＭ１および各第２の部屋ＲＭ２は、正面、すなわち、通路ＡＩ側が透明なパネルＰＮで覆われており、当該パネルＰＮを介して内部が視認可能となっている。また、通路ＡＩに沿って隣接する第１の部屋ＲＭ１同士は、不透明な壁Ｗで仕切られており、同様に、通路ＡＩに沿って隣接する第２の部屋ＲＭ２同士も、不透明な壁Ｗで仕切られている。各第１の部屋ＲＭ１には、犬ＤＧ１が収容されており、各第２の部屋ＲＭ２には、犬ＤＧ２がされている。
【００７６】
そして、通路ＡＩを介して互いに向かい合って配置された第１の部屋ＲＭ１と第２の部屋ＲＭ２とに対して、各仕切部材セット１は、第１の仕切部材２Ａが第１の部屋ＲＭ１のパネルＰＮに装着され、第２の仕切部材２Ｂが第２の部屋ＲＭ２のパネルＰＮに装着されている。第１の仕切部材２Ａおよび第２の仕切部材２Ｂには、それぞれ、その裏側に、装着部材としての４つの吸盤６が設置されている。これにより、第１の仕切部材２Ａおよび第２の仕切部材２Ｂは、それぞれ、パネルＰＮに対して着脱自在に装着することができる。
【００７７】
図１０の状態で、来店客Ｈ８が第１の部屋ＲＭ１側に目を向けると、その視線Ｅ８−１の先にある第１の仕切部材２Ａを介して第１の部屋ＲＭ１内や犬ＤＧ１を視認することができる。また、第２の部屋ＲＭ２側に目を向けると、その視線Ｅ８−２の先にある第２の仕切部材２Ｂを介して第２の部屋ＲＭ２内や犬ＤＧ２を視認することができる。これにより、来店客Ｈ８は、通路ＡＩを往来する間に犬ＤＧ１、犬ＤＧ２を観察したり、見定めたりことができる。
【００７８】
また、犬ＤＧ１が第１の仕切部材２Ａを介して第２の部屋ＲＭ２側を見ると、その視線Ｅ９−１の方向にある通路ＡＩや第２の仕切部材２Ｂまでは見ることができるが、当該第２の仕切部材２Ｂから先の第２の部屋ＲＭ２内や犬ＤＧ２までは見るのが困難または不可能となる。同様に、犬ＤＧ２が第２の仕切部材２Ｂを介して第１の部屋ＲＭ１側を見ると、その視線Ｅ９−２の方向にある通路ＡＩや第１の仕切部材２Ａまでは見ることができるが、当該第１の仕切部材２Ａから先の第１の部屋ＲＭ１内や犬ＤＧ１までは見るのが困難または不可能となる。このように、向かい合う犬ＤＧ１、犬ＤＧ２同士が互いの存在を認識するのを防止することができ、その結果、威嚇し合うのを防止することができる。
【００７９】
このように本実施形態でも、偏光方向が互いに異なる２枚の偏光子を用いるという簡単な構成で、見たい空間と、見せたくない空間とを仕切ることができる。ここで、見たい空間とは、通路ＡＩからは見たい第１の部屋ＲＭ１および第２の部屋ＲＭ２のことである。これに対し、見せたくない空間とは、第１の部屋ＲＭ１からは見せたくない第２の部屋ＲＭ２と、第２の部屋ＲＭ２からは見せたくない第１の部屋ＲＭ１のことである。
【００８０】
以上、本発明の仕切部材セットを図示の実施形態について説明したが、本発明は、これに限定されるものではなく、仕切部材セットを構成する各部は、同様の機能を発揮し得る任意の構成のものと置換することができる。また、任意の構成物が付加されていてもよい。
【００８１】
また、本発明の仕切部材セットは、前記各実施形態のうちの、任意の２以上の構成（特徴）を組み合わせたものであってもよい。
【００８２】
また、仕切部材セットは、前記第１〜第３実施形態では旅客機内で用いられているが、旅客機以外の他の公共交通機関でも用いることができる。この公共交通機関としては、例えば、電車（列車）、バス、船舶等が挙げられる。
【００８３】
また、仕切部材セットは、公共交通機関以外でも用いることができる。例えば、工場見学が可能な工場内、レストラン等の飲食店内、遊園地の迷路内、動物園の檻、試験会場内、会議室内、刑務所内等が挙げられる。
【００８４】
また、前記第５実施形態では、ペットショップの檻に収用される動物が犬であったが、これに限定されず、例えば、猫等の他の哺乳類、オウム等の鳥類、トカゲ等の爬虫類であってもよい。
【００８５】
また、前記第５実施形態では、第１の仕切部材および第２の仕切部材は、それぞれ、パネルに対して吸盤によって着脱自在に構成されているが、これに限定されず、各仕切部材自体がパネルに対して粘着層を有する粘着シートで構成されていてもよい。
【符号の説明】
【００８６】
１            仕切部材セット
２Ａ、２Ａ１、２Ａ２  第１の仕切部材
２Ｂ、２Ｂ１、２Ｂ２  第２の仕切部材
２１          積層板
２２          枠体
２２１        保持部
２２２        突片
２２３        貫通孔
２３Ａ        第１の偏光子
２３Ｂ        第２の偏光子
２４          基板
２５          ボルト
３Ａ          第１の支持部材
３Ｂ          第２の支持部材
３１          レール
４Ａ          第１の支持部材
４Ｂ          第２の支持部材
４１          梁
４２          回動支持部
５            連結部材
６            吸盤
ＡＩ          通路
ＡＲ          肘掛け
ＡＳ１        第１の客席空間
ＡＳ２        第２の客席空間
Ｂ            檻
ＣＡ          客室
ＤＧ１、ＤＧ２  犬
Ｅ１、Ｅ２、Ｅ３−１、Ｅ３−２、Ｅ４−１、Ｅ４−２、Ｅ４−３、Ｅ５−１、Ｅ５−２、Ｅ５−３、Ｅ６−１、Ｅ６−２、Ｅ６−３、Ｅ７−１、Ｅ７−２、Ｅ７−３、Ｅ８−１、Ｅ８−２、Ｅ９−１、Ｅ９−２  視線
Ｈ１、Ｈ２    乗客
Ｈ３          客室乗務員
Ｈ４、Ｈ５、Ｈ６、Ｈ７  生徒
Ｈ８          来店客
Ｎ２３Ａ、Ｎ２３Ｂ  法線
ＰＮ          パネル
ＲＭ１        第１の部屋
ＲＭ２        第２の部屋
ＳＴ          客席（座席）
Ｓ１、Ｓ２、Ｓ３、Ｓ４  空間
ＴＢ          テーブル
Ｗ            壁
【図１】
0006701632.tif 000002
【図２】
0006701632.tif 000003
【図３】
0006701632.tif 000004
【図４】
0006701632.tif 000005
【図５】
0006701632.tif 000006
【図６】
0006701632.tif 000007
【図７】
0006701632.tif 000008
【図８】
0006701632.tif 000009
【図９】
0006701632.tif 000010
【図１０】
0006701632.tif 000011